(57)【特許請求の範囲】
【請求項１】
出入口をカーテンで開閉可能な更衣室であって、
更衣室の上部に配置され、先端側でカーテンを吊り下げる複数の梁部材と、
複数の梁部材の基端側を案内する案内機構であって、
複数の梁部材の各基端側を、各梁部材が大略的に水平な姿勢で更衣室の外方に突出するようにそれぞれ支持する複数の支持部材と、
前記複数の支持部材が沿って移動し、先端側が出入口の上方の位置にある状態では、基端側に比較して先端側で隣接する梁部材間の間隔が広がり、先端側が出入口の上方から側方にずれる位置にある状態では、出入口上方の位置にある状態よりも先端側で隣接する梁部材間の間隔が狭まるように前記複数の支持部材を案内する案内部材とを含む案内機構と、
前記複数の支持部材を前記案内部材に沿って移動させるモータとを含むことを特徴とする更衣室。
【請求項２】
前記出入口を除く側壁面を形成する側壁部材と、
側壁部材の上部で、前記案内部材を保持する保持部材とを含むことを特徴とする請求項１記載の更衣室。
【請求項３】
前記側壁部材の下部には、更衣室全体を移動可能にする移動部材を備えることを特徴とする請求項２記載の更衣室。
【請求項４】
開口部をカーテンで開閉するためのカーテン吊り下げ装置であって、
先端側でカーテンを吊り下げる複数の梁部材と、
前記複数の梁部材の基端側を案内する案内機構であって、
複数の梁部材の各基端側を、各梁部材が大略的に水平な姿勢で開口部の外方に突出するようにそれぞれ支持する複数の支持部材と、
前記複数の支持部材が沿って移動し、先端側が開口部の上方の位置にある状態では、基端側に比較して先端側で隣接する梁部材間の間隔が広がり、先端側が開口部の上方から側方にずれる位置にある状態では、開口部上方の位置にある状態よりも先端側で隣接する梁部材間の間隔が狭まるように前記複数の支持部材を案内する案内部材とを含む案内機構と、
前記複数の支持部材を前記案内部材に沿って移動させるモータとを含むことを特徴とするカーテン吊り下げ装置。
【請求項５】
前記案内部材は、互いに隣接する梁部材間の開き角度が、前記開口部上方では大きくなり、該開口部の上方から側方にずれる範囲では小さくなるように、前記複数の支持部材を案内する案内部材とを含むことを特徴とする請求項５記載のカーテン吊り下げ装置。
【発明の詳細な説明】
【０００１】
【発明の属する技術分野】
本発明は、衣服などの着替を行う更衣室、特にアパレル製品を販売する店舗等で試着室などに好適に用いることができる更衣室およびカーテン吊り下げ装置に関する。
【０００２】
【従来の技術】
従来から、衣服などのアパレル製品の販売は、顧客が実際に製品を試着してみてから行われることが多い。ブティックなどの小売店や、百貨店などのショップ内には、試着室が設置されており、顧客が服のサイズ、着心地、あるいは自分に似合うかどうかを判断する。顧客が試着を行っている間は、試着室の出入口をカーテン等で塞ぎ、プライバシーを確保している。
【０００３】
図２１は、従来からの典型的な試着室１の外観を示す。試着室１内で、試着を行う際には出入口２から出入りする。通常、出入口２の奥の壁面には、試着状態を映す鏡３が備えられる。試着は着替えを伴うため、出入口２をカーテン４で閉じ、プライバシーを確保する。カーテン４は、天井に設けられるカーテンレール５から吊り下げられ、かつカーテンレール５に案内されて移動する。カーテンレール５は、出入口２の直上の位置から側方にかけて直線的に設置される。カーテン４は、カーテンレール５に沿って引き延される状態で出入口２を塞ぐように閉ざし、出入口２の側方に折畳まれる状態で出入口２を開く。このように、カーテン４で出入口２を開閉する構成は、店舗などの試着室１ばかりではなく、着替えなどのために簡単にプライバシーを確保することが必要な部屋である更衣室として、広く用いられている。
【０００４】
【発明が解決しようとする課題】
図２１に示すようなカーテン４で開閉する試着室１で、カーテン４は外部から試着室１の内部を遮蔽してプライバシーを確保する機能を有している。カーテン４を閉じて試着室１内部に確保できる空間は、カーテン４を開いて出入口２を開放している場合に試着室１が占める空間と同等である。試着室１は、たとえば商品を保管する倉庫として使用したりすると、試着を行う際の障害となるので、専用の空間として確保する必要がある。しかしながら、試着は常時行われることはないので、不使用時には試着室１として確保してある空間が有効に利用されない。試着室１が占める空間を狭くしておけば、不使用時に有効に利用されない空間を減らすことができるけれども、試着室１としての使用時に、着替のためのスペースがなく、使い勝手が悪くなってしまう。また、鏡３は、狭い空間内で、直近の位置からしか見ることができず、充分な大きさがあっても、全身や上半身などの広い範囲を映すことは困難である。試着室１として確保する空間を狭くしても更衣の際の使い勝手を低下させないためには、試着室１として使用する際に、内部の空間を広げることが考えられる。
【０００５】
建物で空間を拡大することに関連する先行技術としては、たとえば特開昭６３−２８１０１６６を挙げることができる。この先行技術は、いわゆる「ドーム」と呼ばれるような全天候型の競技場や催場の開閉膜屋根構造物についてであり、弧状の単位屋根架構フレームの両端を、屋根部分が開口している建物の開口部の周囲に敷設されている２本の平行なレール上で案内し、開口部を、上方に膨らんだ状態の膜で覆う。しかしながら、このような構成は、空間を上方に拡大することは可能であっても、試着室１などの更衣室で使用可能な着替用の空間を拡大させることはできない。
【０００６】
本発明の目的は、不使用時に占める空間を小さくしても、使用時に占める空間を大きくすることができる更衣室およびカーテン吊り下げ装置を提供することである。
【０００７】
【課題を解決するための手段】
本発明は、出入口をカーテンで開閉可能な更衣室であって、
更衣室の上部に配置され、先端側でカーテンを吊り下げる複数の梁部材と、
複数の梁部材の基端側を案内する案内機構であって、
複数の梁部材の各基端側を、各梁部材が大略的に水平な姿勢で更衣室の外方に突出するようにそれぞれ支持する複数の支持部材と、
前記複数の支持部材が沿って移動し、先端側が出入口の上方の位置にある状態では、基端側に比較して先端側で隣接する梁部材間の間隔が広がり、先端側が出入口の上方から側方にずれる位置にある状態では、出入口上方の位置にある状態よりも先端側で隣接する梁部材間の間隔が狭まるように前記複数の支持部材を案内する案内部材とを含む案内機構と、
前記複数の支持部材を前記案内部材に沿って移動させるモータとを含むことを特徴とする更衣室である。
【０００８】
本発明に従えば、出入口をカーテンで開閉可能な更衣室は、複数の梁部材と案内機構とモータとを含む。複数の梁部材は、更衣室の上部に配置され、先端側でカーテンを吊り下げる。案内機構は、複数の支持部材と案内部材とを含む。各支持部材は、複数の梁部材の各基端側を、各梁部材が大略的に水平な姿勢で更衣室の外方に突出するようにそれぞれ支持している。案内部材は、先端側が出入口の上方の位置にある状態では、基端側に比較して先端側で隣接する梁部材間の間隔が広がり、先端側が出入口の上方から側方にずれる位置にある状態では、出入口上方の位置にある状態よりも先端側で隣接する梁部材間の間隔が狭まるように複数の支持部材を案内する。モータは、複数の支持部材を案内部材に沿って移動させる。カーテンは、梁部材の先端側から吊り下げられているので、出入口を閉じる状態では出入口の外方に広がり、出入口を開く状態では出入口の側方で縮まる。カーテンを閉じると、カーテンによって外部から遮蔽される空間が出入口の外部に広がり、更衣室内を広く使用することができる。カーテンを開けば、カーテンは出入口の側方で縮まっているので、カーテンが広がっているときに占める空間を他の用途に有効に使用することができる。また支持部材部がモータによって案内部材に沿って移動するので、モータを制御するスイッチ操作でカーテンを容易に開閉することができる。
【０００９】
また本発明は、前記出入口を除く側壁面を形成する側壁部材と、
側壁部材の上部で、前記案内部材を保持する保持部材とを含むことを特徴とする。
【００１０】
本発明に従えば、更衣室には、側壁部材と保持部材とが含まれる。側壁部材は、出入口を除く側壁面を形成する。保持部材は、側壁部材の上部で、案内部材を保持する。側壁部材と保持部材とを含んで更衣室をユニット化することができ、仕切が設けられていない空間にも、更衣室を容易に設置することができる。設置される更衣室は、出入口をカーテンで閉じるとカーテンが外方に広がるので、更衣室内を広く使用し、また不使用時には空間を他の用途に利用することができる。
【００１１】
また本発明で、前記側壁部材の下部には、更衣室全体を移動可能にする移動部材を備えることを特徴とする。
【００１２】
本発明に従えば、側壁部材と天井板とを含んでユニット化される更衣室は、側壁部材の下部に備えられる移動部材で移動可能であるので、各種催物会場などで移動可能な臨時の更衣室や試着室などに、利用することができる。
【００１５】
さらに本発明は、開口部をカーテンで開閉するためのカーテン吊り下げ装置であって、
先端側でカーテンを吊り下げる複数の梁部材と、
前記複数の梁部材の基端側を案内する案内機構であって、
複数の梁部材の各基端側を、各梁部材が大略的に水平な姿勢で開口部の外方に突出するようにそれぞれ支持する複数の支持部材と、
前記複数の支持部材が沿って移動し、先端側が開口部の上方の位置にある状態では、基端側に比較して先端側で隣接する梁部材間の間隔が広がり、先端側が開口部の上方から側方にずれる位置にある状態では、開口部上方の位置にある状態よりも先端側で隣接する梁部材間の間隔が狭まるように前記複数の支持部材を案内する案内部材とを含む案内機構と、
前記複数の支持部材を前記案内部材に沿って移動させるモータとを含むことを特徴とするカーテン吊り下げ装置である。
【００１６】
本発明に従えば、開口部をカーテンで開閉するためのカーテン吊り下げ装置は、複数の梁部材と案内機構とモータとを含む。複数の梁部材は、先端側でカーテンを吊り下げる。案内機構は、複数の支持部材と案内部材とを含む。各支持部材は、複数の梁部材の各基端側を、各梁部材が大略的に水平な姿勢で開口部の外方に突出するようにそれぞれ支持している。案内部材は、先端側が開口部の上方の位置にある状態では、基端側に比較して先端側で隣接する梁部材間の間隔が広がり、先端側が開口部の上方から側方にずれる位置にある状態では、開口部上方の位置にある状態よりも先端側で隣接する梁部材間の間隔が狭まるように複数の支持部材を案内する。モータは、複数の支持部材を案内部材に沿って移動させる。梁部材の先端側から吊り下げられるカーテンは、開口部を閉じる状態では開口部の外方に広がり、開口部を開く状態では開口部の側方で縮まる。カーテンを閉じると、カーテンによって外部から遮蔽される空間が開口部の外部に広がり、更衣室内を広く使用することができる。カーテンを開けば、カーテンは開口部の側方で縮まっているので、カーテンが広がっているときに占める空間を他の用途に有効に使用することができる。また支持部材部がモータによって案内部材に沿って移動するので、モータを制御するスイッチ操作でカーテンを容易に開閉することができる。
【００１７】
また本発明で、前記案内部材は、互いに隣接する梁部材間の開き角度が、前記開口部上方では大きくなり、該開口部の上方から側方にずれる範囲では小さくなるように、前記複数の支持部材を案内する案内部材とを含むことを特徴とする。
【００１８】
本発明に従えば、案内部材は、梁部材間の開き角度が開口部上方では大きくなり、開口部の上方から側方にずれる範囲では小さくなるように複数の支持部材を案内する。開口部上方で梁部材間の開き角度が大きくなるので、梁部材の先端側から吊り下げられるカーテンを広げることができる。
【００１９】
【発明の実施の形態】
図１〜図３は、本発明の実施の一形態の更衣室としての試着室１１に関連する構成を示す。図１は試着室１１の開口部である出入口１２を開いている状態、図２は出入口を半分閉じた状態、図３は出入口１２を閉じた状態をそれぞれ示す。試着室１１は、出入口１２の奥の壁面に、試着状態を映して確認するための姿見となる鏡１３が配置され、出入口１２の開閉はカーテン１４によって行われる。カーテン１４は、カーテン吊り下げ装置１５によって上方から吊り下げられる。カーテン吊り下げ装置１５は、出入口１２を開くときには、図１に示すように、カーテン１４を出入口１２の側方にまとめて待機させる。カーテン吊り下げ装置１５が出入口１２を閉じるときには、図２から図３に示すように、カーテン１４を出入口１２の前方に張出させて、出入口１２の位置で試着室１１を閉じるよりも広い空間を試着室１１として利用可能にする。
【００２０】
本実施形態の試着室１１は、出入口１２を除く側壁面を形成する側壁部材１６と、側壁部材１６の上部に周縁部が接合され、カーテン吊り下げ装置１５を固定して保持する板状の保持部材１７とを含む。側壁部材１６と保持部材１７とを含む試着室１１はユニット化されるので、仕切が設けられていない空間にも、試着室１１を容易に設置することができる。設置される試着室１１は、出入口をカーテン１４で閉じるとカーテン１４が外方に広がるので、試着室１１内を広く使用し、また不使用時には空間を他の用途に利用することができる。なお、カーテン吊り下げ装置１５等が試着室１１内から直接見えないようにするため、保持部材１７の下方に天井板１７ａを設けている。
【００２１】
また側壁部材１６の下部には、試着室１１の全体を移動可能にするキャスタなどの移動部材を備えるようにすることもできる。移動部材を備えれば、側壁部材１６と保持部材１７とを含んでユニット化される試着室１１は、各種催物会場などで移動可能な臨時の更衣室や試着室などに、利用することができる。
【００２２】
図４は、図１〜図３に示す試着室１１を、アパレル製品販売支援のために利用する構成を示す。アパレル製品の販売店２０では、衣服などのアパレル製品２１の試着を行うために、本実施形態の試着室１１を備える。試着室１１に設けられるカーテン１４は、開いた状態で試着室１１の出入口１２を開放し、閉じた状態で試着室１１内に外部と遮蔽された空間を確保する。カーテン１４が閉じた状態では、カーテン１４は出入１２の前方に広がるので試着室１１内を広く使うことができる。来店した顧客２２は、試着室１１内で余裕をもってアパレル製品２１の試着を行う行うことができる。試着状態は、試着室１１を閉じるカーテン１４を背景とし、鏡１３に映して見ることができる。試着室１１で試着を行わないときには、カーテン１４を出入口１２の側方に移動させて、出入口１４を開放させる。カーテン１４が出入口１２を閉じているときに占める空間は、出入口１４に対して、試着室１１の外部にはみ出しており、カーテン１４を開けばこの空間を、たとえば顧客２２の通路などの他の用途に有効に利用することができる。
【００２３】
図５および図６は、図１〜図３に示す実施形態の試着室１１を、保持部材１７を除いて平面視した状態として、カーテン吊り下げ装置１５に関連する構成を示す。図５は図１に対応してカーテン１４を開いている状態を示し、図６は図２に対応してカーテン１４を閉じている状態を示す。本実施形態のカーテン吊り下げ装置１５は、先端側でカーテン１４を吊り下げる複数の梁部材３１と、案内機構３２とを含む。案内機構３２は、複数の梁部材３１の基端側を、各梁部材３１が大略的に水平な姿勢で出入口１２の外方に突出するように支持する。案内機構３２は、梁部材３１の先端側が出入口１２の上方の位置にある状態では、基端側に比較して先端側で隣接する梁部材３１間の間隔が広がり、先端側が出入口１２の上方から側方にずれる位置にある状態では、出入口１２上方の位置にある状態よりも先端側で隣接する梁部材３１間の間隔が狭まるように、基端側を案内する。梁部材３１の先端側から吊り下げられるカーテン１４は、出入口１２を閉じる状態では出入口１２の外方に広がり、出入口１２を開く状態では出入口１２の側方で縮まる。カーテン１４で出入口１２を閉じると、カーテン１４によって外部から遮蔽される空間が出入口１２の外部にまで広がり、試着室１１内を広く使用することができる。出入口１２のカーテン１４を開けば、カーテン１４は出入口１２の側方で縮まっているので、カーテン１４が広がっているときに占める空間を他の用途に有効に使用することができる。
【００２４】
また本実施形態で、案内機構３２は、複数の支持部材３３と、案内部材３４とを含む。複数の支持部材３３は、複数の梁部材３１の各基端部にそれぞれ接合される。案内部材３４は、複数の支持部材３３を、梁部材間３１の開き角度が、図６に示すように出入口１２の上方では大きくなり、図５に示すように出入口１２の上方から側方にずれる範囲では小さくなるように、案内する。
【００２５】
カーテン１４は、放射状に広がる複数の梁部材３１の先端側から吊り下げられ、試着室１１の出入口１２を開閉することができる。図５に示すように、カーテン１４が開いているときには、梁部材３１間の間隔が狭くなって、カーテン１４は折畳まれ、試着室１１の出入口の一方側に寄せて収納される。この状態で、試着室１１の占める床面積は小さくなる。図６に示すように、カーテン１４が閉じているときには、梁部材３１の基端側が案内部材３４で先端側が開くように案内される。これによって、カーテン１４は、広い範囲に展開して試着室１１として利用可能な空間を広げることができる。梁部材３１の移動用にモータ３５が設けられる。モータ３５は、ベルト３６を駆動して支持部材３３を案内部材３４に沿って移動させることができる。モータ３５を設けるので、カーテン１４の開閉は、図１，２に示すように、試着室１１の側壁部材１６の表面に設けるスイッチ３７を操作して行うことができる。
【００２６】
図７は、本実施形態の支持部材３３の部分の構成を示す。複数の支持部材３３は、鎖状に連結され、案内部材３４に沿って移動可能である。各支持部材３３は、それぞれ梁部材３１の基端部を支持している。案内部材３４が直線的な形状をしている部分では、隣接する梁部材３１は平行で、相互間の間隔が縮まる。案内部材３４が曲っている部分では、隣接する梁部材３１は基端側に比較して先端側が放射状に開く。
【００２７】
図８は、本実施形態の試着室１１を複数配置する例を示す。広い室内に、柱３８などが存在するときに、柱３８を囲むように、複数の試着室１１を配置することができる。試着室１１の側壁部材１６の裏面側の形状は、たとえば４５°の傾斜面を有しているようにしておけば、柱３８の周囲を４つまでの試着室１１を固めて配置し、レイアウトの邪魔になる柱３８を隠して、空間を有効に利用することができる。
【００２８】
図９〜図１４は、梁部材３１の先端側でカーテン１４を吊り下げる部分の詳細な構成を示す。図９は、図５に示すように、カーテン１４を収納して出入口１２を開放した状態で、カーテン１４が折畳まれている状態を示す。図１０は、図６に示すようにカーテン１４を広げ、出入口１２を閉鎖した状態で、最後列の梁部材３１ｘ近傍の状態を示す。図１１は、図９のＹ−Ｙ方向から矢視した状態を示す。図１２は、図６に示すように、カーテン１４で出入口１２を閉鎖するときの最前列の梁部材３１ｙ近傍の状態を示す。図１３は、図１２に示すように、カーテン１４の最前列側が出入口１２を閉鎖する直前の状態を示す。図１４は、図１２を部分的に正面視した状態を示す。
【００２９】
図９に示すように、カーテン１４は、試着室１１の外部側に突出する山折りとなる位置ではフック６１ａによって、試着室１１の内部側に突出する谷折りとなる位置ではフック６１ｂによって、それぞれ吊り下げられる。山折り側のフック６１ａは、梁部材３１の先端で支持される。カーテン１４の裏側には、ガイド板６２ａ，６２ｂが設けられ、隣接するガイド板６２ａ，６２ｂは蝶番６３ａ，６３ｂを介して連結している。梁部材３１の先端の部分では、蝶番６３ａが支持され、フック６１ａも支持される。隣接する梁部材３１の中間の部分では、ガイド板６２ａ，６２ｂが蝶番６３ｂを介して連結し、蝶番６３ｂは、フック６１ｂを支持する。最後列の梁部材３１ｘ側のガイド板６２ｘの先端付近には、カム板６４のカム面６４ａに当接しながら案内されるローラ６５が設けられる。カーテン１４が収納されているときには、ローラ６５がカム板６４のカム面６４ａに係合しながら移動するので、ガイド板６２ｘにカーテン１４を折畳む力を作用させることができる。最前列の梁部材３１ｙには、レバー６６が設けられ、後述するように、カーテン１４を閉鎖する際に用いられる。なお、側端のガイド板６２ｘは、図示を省略しているキックばねで、広がる方向に付勢されている。
【００３０】
図１０に示すように、カーテン１４を広げ、出入口１２を閉鎖した状態では、最後列の梁部材３１ｘに取付けられたガイド板６２ｘのローラ６５がカム面６４ａに対する係合から解かれ、前述のキックばねの付勢によって、羽根を広げた状態となる。このように広がることによって、試着室１１内が外部から見えないように、カーテン１４の側端部を側壁部材１６に接触させ、隙間が生じないようにすることができる。
【００３１】
カーテン１４で出入口１２を閉鎖する際に、最前列の梁部材３１ｙに取付けた端のガイド板６２ｙは、通常は図１３に示すように、図示を省略しているキックばねによって、梁部材３１ｙ側に付勢されている。カーテン１４が図１２に示すような閉鎖状態になるときには、ガイド板６２ｙに設けられているレバー６６が、側壁部材１６に設けたカム板６７のカム面６７ａに係合し、キックばねの付勢方向に抗して、端のガイド板６２ｙを梁部材３１ｙから離反する方向に揺動変位させてカーテン１４を広げる。これによって、試着室１１内が外部から見えないようにすることができる。
【００３２】
図１５および図１６は、本発明の実施の他の形態の試着室４１の平面構成を示す。本実施形態の試着室４１では、２つの鏡４３ａ，４３ｂをそれぞれ配置することができる角度を変えた２つの壁面を有する。角度を変えた壁面を３以上設け、３以上の複数の鏡を配置することもできる。複数の鏡４３ａ，４３ｂが角度を変えて配置されるので、試着者は試着状態を正面以外の方向からも確認することができる。
【００３３】
図１５は出入口４２のカーテン４４ａ，４４ｂを開いている状態、図１６はカーテン４４ａ，４４ｂを閉じている状態をそれぞれ示す。本実施形態では、角度を変えて形成される２つの壁面４５ａ，４５ｂを有する側壁部材４６によって保持部材４７の周縁が支持される。カーテン４４ａ，４４ｂは、２つの部分的なカーテン４４ａ，４４ｂに別れ、開いた状態では出入口４２の両側にそれぞれ収納される。各カーテン４４ａ，４４ｂもそれぞれカーテン吊り下げ装置５０の梁部材５１ａ，５１ｂの先端に装着される。梁部材５１ａ，５１ｂは、基端側で案内機構５２ａ，５２ｂによって案内されて、開いた状態ではカーテン４４ａ，４４ｂを折畳み、閉じた状態ではカーテン４４ａ，４４ｂを出入口４２よりも外部に押し広げて展開することができる。カーテン４４ａ，４４ｂの移動は、モータ５５ａ，５５ｂで独立して行うことができる。なお、モータ５５ａ，５５ｂは１つにまとめて、両方のカーテン４４ａ，４４ｂを同時に移動させることもできる。また、図１〜図３に示すような一体型のカーテン１４を使用することもできる。さらに、本実施形態のような分割型のカーテン４４ａ，４４ｂを図１〜図３に示す試着室１１で用いることもできる。
【００３４】
本実施形態の案内機構５２ａ，５２ｂは、各梁部材５１ａ，５１ｂの基端側を支持する支持部材５３ａ，５３ｂを複数個、鎖状に連結し、図１５に示すように直線上に延した状態と、図１６に示すように案内部材５４ａ，５４ｂであるカム曲面に沿って曲げた状態とで、カーテンの開閉を行う。
【００３５】
各実施形態のカーテン１４、４４ａ，４４ｂは、放射状に広がる梁部材３１、５１ａ，５１ｂの先端側に装着されているので、開いた状態では、閉じた状態でカーテン１４、４４ａ，４４ｂが占める空間に何も存在しないようにすることができる。カーテンレールなどを用いても、拡張して広がるカーテンを実現することは可能であるけれども、カーテンを閉じた状態で、カーテンレールが残ってしまうので、店舗などでは違和感を与えてしまう。また、モータ３５、５５ａ．５５ｂを用いなければ、カーテン１４、４４ａ，４４ｂ側を引いて、開閉することができる。
【００３６】
図１７〜図２０は、梁部材５１ａ，５１ｂの先端側でカーテン４４ａ，４４ｂを吊り下げる部分の詳細な構成を示す。図１７は、図１６に示すように、カーテン４４ａ，４４ｂを閉じて出入口４２を閉鎖する状態で、カーテン４４ａ，４４ｂの先端同士が閉じている状態を示す。図１８は、図１７の状態になる少し前の状態を示す。図１９は、図１８の状態になる少し前の状態を示す。図２０は、カーテン４４ａ，４４ｂを取外した先端部分の構成を示す。
【００３７】
図１７〜図１９に示すように、梁部材５１ａ，５１ｂの先端には、カーテン４４ａ，４４ｂを山折りの位置で吊り下げるフック７１ａが設けられる。カーテン４４ａ，４４ｂの谷折りの位置で吊り下げるフック７１ｂは、ガイド板７２ａ，７２ｂを梁部材５１ａ，５１ｂの先端で蝶番７３ａで支持し、梁部材５１ａ，５１ｂ同士を連結する蝶番７４ｂで支持される。
【００３８】
梁部材５１ａ，５１ｂの最前列に位置する梁部材８１ａ，８１ｂには、長手方向に延びるローラ溝８２ａ，８２ｂがそれぞれ形成されている。ローラ溝８２ａ，８２ｂには、ローラ８３ａ，８３ｂがそれぞれ挿入される。ローラ８３ａ，８３ｂは、リンク８４ａ，８５ａ；８４ｂ，８５ｂの基端をそれぞれ連結する。リンク８４ａ，８５ａ；８４ｂ，８５ｂの先端は、最前列に続くガイド板７２ａ，７２ｂと、最前列のガイド板８６ａ，８６ｂにそれぞれピン結合されている。右側のガイド板８５ｂの先端には、さらにガイド板８５ｘが設けられている。
【００３９】
左右のカーテン４４ａ，４４ｂの開閉を、モータ５５ａ，５５ｂの駆動タイミングに時間差を持たせて行うことによって、円滑な開閉を実現することができる。１モータでも、カムによって機械的にタイミングをずらせば、円滑な開閉を実現することができる。
【００４０】
【発明の効果】
以上のように本発明によれば、複数の梁部材は、各梁部材が大略的に水平な姿勢で更衣室の外方に突出するように、その各基端側が複数の支持部材によってそれぞれ支持され、先端側からカーテンを吊り下げる。案内部材は、梁部材の先端側が出入口の上方の位置にある状態では、基端側に比較して先端側で隣接する梁部材間の間隔が広がり、先端側が出入口の上方から側方にずれる位置にある状態では、出入口上方の位置にある状態よりも先端側で隣接する梁部材間の間隔が狭まるように複数の支持部材を案内する。モータは、複数の支持部材を案内部材に沿って移動させる。カーテンは、出入口を閉じる状態では出入口の外方に広がり、出入口を開く状態では出入口の側方で縮まるので、カーテンを閉じると、カーテンによって外部から遮蔽される空間が出入口の外部に広がり、更衣室内を広く使用することができる。カーテンを開けば、カーテンが広がっているときに占める空間を他の用途に有効に使用することができる。また支持部材部がモータによって案内部材に沿って移動するので、モータを制御するスイッチ操作でカーテンを容易に開閉することができる。
【００４１】
また本発明によれば、更衣室を一つのユニットとして、仕切が設けられていない空間にも、更衣室を容易に設置することができる。ユニット化されて設置される更衣室は、出入口をカーテンで閉じるとカーテンが外方に広がるので、更衣室内を広く使用し、また不使用時には空間を他の用途に利用することができる。
【００４２】
また本発明によれば、ユニット化される更衣室は、下部に備えられる移動部材で移動可能であるので、移動可能な臨時の更衣室や試着室などに、広く利用することができる。
【００４４】
さらに本発明によれば、カーテン吊り下げ装置は、複数の支持部材によって、各梁部材が大略的に水平な姿勢で開口部の外方に突出するように梁部材の基端側をそれぞれ支持している。案内部材は、先端側が開口部の上方の位置にある状態では、基端側に比較して先端側で隣接する梁部材間の間隔が広がるようにし、先端側が開口部の上方から側方にずれる位置にある状態では、開口部上方の位置にある状態よりも先端側で隣接する梁部材間の間隔が狭まるように複数の支持部材を案内する。モータは、複数の支持部材を案内部材に沿って移動させる。梁部材の先端側から吊り下げられるカーテンは、出入口を閉じる状態では出入口の外方に広がり、出入口を開く状態では出入口の側方で縮まるので、カーテンを閉じると、カーテンによって外部から遮蔽される空間が出入口の外部に広がり、更衣室内を広く使用することができる。カーテンを開けば、カーテンが広がっているときに占める空間を他の用途に有効に使用することができる。また支持部材部がモータによって案内部材に沿って移動するので、モータを制御するスイッチ操作でカーテンを容易に開閉することができる。
【００４５】
また本発明によれば、梁部材間の開き角度が、開口部上方では大きくなり、開口部の上方から側方にずれる範囲では小さくなるように、案内部材が複数の支持部材を案内する。開口部上方で梁部材間の開き角度が大きくなるので、梁部材の先端側から吊り下げられるカーテンを広げることができる。
【図面の簡単な説明】
【図１】本発明の実施の一形態としての試着室１１で、カーテン１４を開いている状態を示す図である。
【図２】図１の試着室１１で、カーテン１４を半分閉じている状態を示す図である。
【図３】図１の試着室１１で、カーテン１４を閉じた状態を示す図である。
【図４】図１の試着室１１を、アパレル製品の販売店に設置している状態を示す図である。
【図５】図１の試着室１１でカーテン１４を開いている状態を示す概略的な平面図である。
【図６】図１の試着室１１でカーテン１４を閉じている状態を示す概略的な平面図である。
【図７】図１のカーテン吊り下げ装置１５で支持部材３３に関連する部分的な構成を示す斜視図である。
【図８】図１の試着室１１を柱３８の周囲に配置している状態を示す簡略化した平面図である。
【図９】図５で収納されているカーテン１４の部分の構成を示す平面図である。
【図１０】図６でカーテン１４の後端部を示す平面図である。
【図１１】図９のＹ−Ｙ矢視図である。
【図１２】図６でカーテン１４の先端部を示す平面図である。
【図１３】図１２の少し前の状態を示す平面図である。
【図１４】図１２のレバー６６に関連する部分的な正面図である。
【図１５】本発明の実施の他の形態としての試着室４１でカーテン４４ａ，４４ｂを開いている状態を示す概略的な平面断面図である。
【図１６】図１５の試着室４１でカーテン４４ａ，４４ｂを閉じている状態を示す概略的な平面断面図である。
【図１７】図１６でカーテン４４ａ，４４ｂが閉じている部分を示す平面図である。
【図１８】図１７の状態の少し前の状態を示す平面図である。
【図１９】図１８の状態の少し前の状態を示す平面図である。
【図２０】カーテン４４ａ，４４ｂを取外した先端部分を示す側面図である。
【図２１】従来からの試着室１の概略的な構成を示す図である。
【符号の説明】
１１，４１  試着室
１２，４２  出入口
１３，４３ａ，４３ｂ  鏡
１４，４４ａ，４４ｂ  カーテン
１５，５０  カーテン吊り下げ装置
１６，４６  側壁部材
１７，４７  保持部材
３１，５１ａ，５１ｂ  梁部材
３２，５２ａ，５２ｂ  案内機構
３３，５３ａ，５３ｂ  支持部材
３４，５４ａ，５４ｂ  案内部材
３５，５５ａ，５５ｂ  モータ
３８  柱
【図１】
0003835984.tif 000002
【図２】
0003835984.tif 000003
【図３】
0003835984.tif 000004
【図４】
0003835984.tif 000005
【図５】
0003835984.tif 000006
【図６】
0003835984.tif 000007
【図７】
0003835984.tif 000008
【図８】
0003835984.tif 000009
【図９】
0003835984.tif 000010
【図１０】
0003835984.tif 000011
【図１１】
0003835984.tif 000012
【図１２】
0003835984.tif 000013
【図１３】
0003835984.tif 000014
【図１４】
0003835984.tif 000015
【図１５】
0003835984.tif 000016
【図１６】
0003835984.tif 000017
【図１７】
0003835984.tif 000018
【図１８】
0003835984.tif 000019
【図１９】
0003835984.tif 000020
【図２０】
0003835984.tif 000021
【図２１】
0003835984.tif 000022